(57)【要約】【課題】狭小な場所でも誰も容易にフラフープ運動ができて、嵩が小さくて携帯と保管も易しいリングがない新しい形態のフラフープ運動器具を提供する。【解決手段】腰などに着用してフラフープ運動ができるようにするフラフープ運動器具が開示される。前記フラフープ運動器具は円形の内部空間を有するケース、前記内部空間に流動可能に収容されて、前記ケースが円運動をすることによって、遠心力によって前記ケースの内部空間で円運動する流動体及び前記ケースに連結された係止具を含む構成を有して、場所が狭小な室内でもフラフープ運動ができて、ベルトをケースに盛ることができて携帯が簡便で、既存にはなかった新しい形態のフラフープ運動ができるようにして、ケース内部の突起とボールによって振動が発生されるので、使用者の腰周りを柔らかく按摩をしてくれる效果も提供する。【選択図】図２
2008012279.tif 000002
【特許請求の範囲】
【請求項１】
円形の内部空間を有するケースと、
前記内部空間に流動可能に収容されて前記ケースが円運動をすることによって遠心力によって前記ケースの内部空間で円運動する流動体と、及び
前記ケースに連結された係止具を含むフラフープ運動器具。
【請求項２】
前記ケースは、円形の下部ケース、該下部ケースと見合わせて結合されて、前記内部空間を形成する上部ケース及び前記下部ケースと、前記上部ケースを一体で結合する結合手段と、を具備して構成されたことを特徴とする請求項１に記載のフラフープ運動器具。
【請求項３】
前記下部ケースの中央には第１ねじ部が上方に突出形成されて、前記上部ケースの中央には前記第１ねじ部が通過される結合孔が形成されていて、前記結合手段は前記上部ケース側で前記結合孔を通じて前記第１ねじ部に螺合される第２ねじ部を有するねじ部材であることを特徴とする請求項２に記載のフラフープ運動器具。
【請求項４】
前記流動体は鉛、鋼鉄などの金属、石、セラミックスまたは圧縮紙などの重量体で作った球形のボールであるか、または前記球形のボール表面にゴムや合成樹脂がコーティングされたものであることを特徴とする請求項１に記載のフラフープ運動器具。
【請求項５】
前記係止具はベルトに着用するように嵌め溝を有して、前記係止具の下端部の両側には前記係止具がベルトで離脱されないようにして、搖れながら着用者の身に柔らかく、そして弾性的に接触されることができるように前記ケース側にラウンドになるように曲げられた係止片が形成されていることを特徴とする請求項１に記載のフラフープ運動器具。
【請求項６】
前記流動体は球形のボールと液体流動体または合成樹脂粒子らを含むことを特徴とする請求項１に記載のフラフープ運動器具。
【請求項７】
前記流動体が回転されながら接触されて前記ケースに振動が発生されることができるように前記ケースの内周面に沿って複数の突起らが間隔を置いて形成されていることを特徴とする請求項１に記載のフラフープ運動器具。
【請求項８】
前記係止具がかかることができるし、人の身体に着用するようにするためのベルトをさらに含むことを特徴とする請求項１ないし7のうちいずれか一つに記載のフラフープ運動器具。
【発明の詳細な説明】
【技術分野】
【０００１】
本発明は、フラフープ運動器具に関し、特に、腰などに着用してフラフープ運動ができるようにするフラフープ運動器具に関する。
【背景技術】
【０００２】
従来のリング形態のフラフープは大きくて、場所が狭小な室内空間で使用するのに制限があって、携帯と保管が不便なだけでなく、素人が熟練されるように使用できるまで、時間がたくさん必要となるという短所があった。
【発明の開示】
【発明が解決しようとする課題】
【０００３】
本発明の目的は、狭小な場所でも誰も容易にフラフープ運動ができて、嵩が小さくて携帯と保管も易しいリングがない新しい形態のフラフープ運動器具を提供することにある。
【課題を解決するための手段】
【０００４】
本発明によるフラフープ運動器具は、円形の内部空間を有するケース、前記内部空間に流動可能に収容されて前記ケースが円運動をすることによって遠心力によって前記ケースの内部空間で円運動する流動体及び前記ケースに連結された係止具を含む構成を有する。
【０００５】
前記ケースは円形の下部ケース、該下部ケースと見合わせて結合されて前記内部空間を形成する上部ケース及び前記下部ケースと前記上部ケースを一体で結合する結合手段を具備して構成されたのが望ましい。結合手段としては、嵌合方式、螺合方式、接着剤、熔接または融接によることがある。
【０００６】
前記下部ケースの中央には第１ねじ部が上方へ突出形成されて、前記上部ケース中央には前記第１ねじ部が通過される結合孔が形成されていて、前記結合手段は前記上部ケースの側で前記結合孔を通じて前記第１ねじ部に螺合される第２ねじ部を有するねじ部材であることがさらに望ましい。
【０００７】
前記流動体は鉛、鋼鉄などの金属、石、セラミックスまたは圧縮紙などの重量体で作った球形のボールであるか、または前記球形のボール表面にゴムや合成樹脂がコーティングされたことが良い。
【０００８】
前記係止具はベルトに着用するように嵌め溝を有して、前記係止具の下端部の両側には前記係止具がベルトから離脱されないようにして、また運動時に左右に揺れながら着用者の身に接触時に柔らかく、そして弾性的に接触されることができるようにケース側にラウンドになるように曲げられた係止片が形成されていることが良い。
【０００９】
前記流動体は球形のボールと液体流動体または合成樹脂粒子らを含むことができる。
【００１０】
前記流動体が回転されながら接触されて、前記ケースに振動が発生されることができるように前記ケースの内周面に沿って複数の突起らが間隔を置いて形成されていることが望ましい。
【００１１】
前記係止具が係止させることができるし、人の身体に着用するようにするためのベルトをさらに含むことが良い。
【発明の効果】
【００１２】
本発明によるフラフープ運動器具は、場所が狭小な室内でもフラフープ運動ができるようにしてくれる。
【００１３】
そして、ベルトをケースに盛ることができて携帯が簡便であるという長所もある。
【００１４】
本発明によるフラフープ運動器具は、既存にはなかった新しい形態のフラフープ運動ができるようにしてくれる。併せて、ケース内部の突起とボールによって振動が発生されるので、使用者の腰周りを柔らかく按摩をしてくれる效果も提供する。
【発明を実施するための最良の形態】
【００１５】
以下、添付された図面を参照して本発明の望ましい実施例を説明する。
【００１６】
図１ないし図７を参照すると、円盤型でなされた下部ケース１２の中央にはナット管１２aが突出形成されていて、円盤型でなされた上部ケース１１の中央には結合孔１１aが形成されている。
【００１７】
下部ケース１２のナット管１２aは上部ケース１１の結合孔１１aを貫通して結合される。上、下部ケース１１、１２らがお互いに結合されると、内部に円形の空間が形成された円盤型のケース１０が作られる。本発明で円形の空間とは、ケース１０内部に収容されたボール２０のような流動体が円運動することができる空間を意味し、内周面が中心から同一な距離にある円形、卵円形、環状の環形、球形、円盤型、卵型の空間をすべて含む概念として定義する。結合孔１１aには覆い１３が着せられるように結合されて、覆い１３の下部には軸ボルト１３aが突出形成されている。軸ボルト１３aは結合孔１１aを貫通するナット管１２aに螺合される。ここでナット管１２aは、第１ねじ部になって、軸ボルト１３aは第２ねじ部になる。ケース１０の大きさは子供向けの大、中、小のものと、成人向けの大、中、小のものなどで区分して作ることができる。
【００１８】
ケース１０の一側には“Ｕ”型の係止具１４が形成されている。この係止具１４は図７に示すように、ベルト３０にかけることができるようにするためのものである。この係止具１４の両側にはベルト３０から離脱されないようにして、また運動時に左右に搖れながら着用者に身に柔らかく、そして弾性的に接触されることができるようにケース１０側にラウンドになるように曲げられた係止片１４aが形成されていて、使用者の胴と接触される内側には着心地を柔らかく維持するように緩衝部材１５を付着している。
【００１９】
ケース１０の内部には重量体ボール２０が収納されている。重量体ボール２０はケース１０が運動することによってケース１０内部で円運動する流動体として鋼鉄、鉛などの金属で作ったものが望ましくて、その他、石、高圧で圧縮した圧縮紙、圧縮合成樹脂など、重量のそのほかの材料の物が使用されることができることは勿論である。このボール２０の表面には軟質のゴムや合成樹脂をコーティングしてボール２０が回転される時に騷音が減少されるようにできる。
【００２０】
図面のうちで、未説明符号１６は上、下部ケース１１、１２らの間に介されてケース１０の内部を密閉させるパッキングであって、３１はベルト３０に結合された合成樹脂バックル(buckle)である。
【００２１】
前述した構成でなされたフラフープ運動器具は、ベルト３０を通じて腰に着用される。フラフープ運動器具を腰に着用して腰を回すと、ケース１０に収納された重量体ボール２０が回転されながら遠心力によってケース１０の内部まわりに沿って回転される。腰の回し速度によってボール２０の回し速度が早めになりながら遠心力が大きく形成されてフラフープを使用することと同じ運動效果が発生する。
【００２２】
一方、図３に示すようにケース１０の内部に水のような液体２１流動体や合成樹脂粒子らのような粒子２２流動体を注入して重量体ボール２０と共に回転されるようにできる。この時には、液体２１や粒子２２でなされた流動体がボール２０と共に回転されて回転抵抗を大きくすることができるだけでなく、液体２１や粒子２２より重量が重い重量体ボール２０が液体２１や粒子２２を過ぎて回転しようとする二重抵抗が発生されて、より一味違う運動效果を得ることができるものである。
【００２３】
また、本発明によるフラフープ運動器具は、使用者の体力によってベルト３０に着用する個数を１〜４個、またはその以上に調整することができる。
【００２４】
図２を参照すると、ケース１０の内部まわりには、複数の突起１０aらが形成されている。この突起１０aらは重量体ボール２０が回転されると、ボール２０と接触されて振動を発生させる。
【００２５】
図８を参照すると、図２の上、下部ケース１１、１２ら内部に形成された突起１０aらの代りにパッキング１６aの内周面に突出部１６bを形成して、この突出部１６bに突起１６cらを形成してケース１０の内部空間に突き出されるようにしても良い。残りの事項は図１ないし図７を通じて説明したようである。
【００２６】
図９を参照すると、ケース１０は下部ケース１２の端に沿って形成された係止溝１２bらと上部ケース１１の端に沿って形成された係止突起１１bらをお互いに結合して作ることができる。場合によって、ケース１０は図１０に示すように上部ケース１１の外周面に形成された雄螺旋１１cと下部ケース１２の内周面に形成された雌螺旋１２cを通じて螺合して構成することができるし、その反対にしても良い。
【００２７】
図１１を参照すると、下部ケース１２の中央部には外周面に螺旋が形成された螺旋突出部１２dを形成して、上部ケース１１の中央部にはナット部１１dを形成してケース１０を構成することができる。螺旋突出部１２dとナット部１１dは上下でその位置を変えて形成されることができる。
【００２８】
その外に上部ケースと下部ケースは、多様な結合手段によって結合されることができるし、さらにまた、ケースは金属材料である場合の熔接、上、下部ケース自体をとかしてお互いに接着する融接、接着剤などによって上、下部ケースが一体型で接合された形態で構成されることができる。
【００２９】
図１２を参照すると、本発明によるフラフープ運動器具はベルト３０の長さを短く形成して、足に着用して足の運動をすることに使用されることができる。足の外に、人の腕やその他の身体部位に着用して運動することに使用されることができることはもちろんである。
【００３０】
ケース１０は図１３に示すように卵円形で構成されることができるし、場合によって球形で作われることもできる。
【００３１】
以上では本発明を実施例によって詳細に説明したが、本発明は実施例によって限定されず、本発明が属する技術分野において通常の知識を有するものであれば本発明の思想と精神を離れることなく、本発明を修正または変更できる。
【図面の簡単な説明】
【００３２】
【図１】本発明によるフラフープ運動器具の斜視図である。
【図２】図１のフラフープ運動器具の分解斜視図である。
【図３】ケース内部に液体流動体を入れた状態の断面図である。
【図４】図２のフラフープ運動器具の分解断面図である。
【図５】回動時のケースの断面図である。
【図６】回動時のケースの平面図である。
【図７】ベルトを利用してフラフープ運動器具を腰に着用した状態の正面図である。
【図８】図２の変形例を示す分解斜視図である。
【図９】ケースの他の変形例らを示す分解断面図である。
【図１０】同じく、図１０はケースの他の変形例らを示す分解断面図である。
【図１１】同じく、図１１はケースの他の変形例らを示す分解断面図である。
【図１２】フラフープ運動器具を足に着用した状態の正面図である。
【図１３】図６の変形例を示すケースの平面図である。
【符号の説明】
【００３３】
１０  ケース
１１  上部ケース
１２  下部ケース
１３  覆い
１４  係止具
２０  ボール
３０  ベルト
【図１】
2008012279.tif 000003
【図２】
2008012279.tif 000004
【図３】
2008012279.tif 000005
【図４】
2008012279.tif 000006
【図５】
2008012279.tif 000007
【図６】
2008012279.tif 000008
【図７】
2008012279.tif 000009
【図８】
2008012279.tif 000010
【図９】
2008012279.tif 000011
【図１０】
2008012279.tif 000012
【図１１】
2008012279.tif 000013
【図１２】
2008012279.tif 000014
【図１３】
2008012279.tif 000015